(57)【要約】【課題】  温水チューブの余裕代部分を容易に収容することができる床暖房装置を提供する。【解決手段】  熱源機からの温水が流れる温水チューブ３８，４０と、温水の熱を放熱するための放熱チューブ２２，２４を有する放熱パネル体６と、温水チューブ３８，４０と放熱チューブ２２，２４とを相互に接続するためのヘッダ２８と、を備える。放熱パネル体４は、放熱チューブ２２，２４を内蔵する温水マット６と、温水マット６の表面側に設置される仕上げ材１０と、仕上げ材１０と温水マット６との間に介在される熱伝導性シート８と、を有する。放熱パネル体４には、ヘッダ２８が収容されるヘッダ収容凹部２６と、ヘッダ収容凹部２６に連通されたチューブ収容凹部４４，４６とが設けられ、チューブ収容凹部４４，４６には、ヘッダ収容凹部２６内に延びる温水チューブ３８，４０の余裕代部分４８，５０の少なくとも一部が収容される。【選択図】  図１
2010210141.tif 000002
【特許請求の範囲】
【請求項１】
熱源機からの温水が流れる温水チューブと、温水の熱を放熱するための放熱チューブを有する放熱パネル体と、前記温水チューブと前記放熱チューブとを相互に接続するためのヘッダと、を備え、前記放熱パネル体は、前記放熱チューブを内蔵する温水マットと、前記温水マットの表面側に設置される仕上げ材と、前記仕上げ材と前記温水マットとの間に介在される熱伝導性シートと、を有する床暖房装置であって、
前記放熱パネル体には、前記ヘッダが収容されるヘッダ収容凹部と、前記ヘッダ収容凹部に連通されたチューブ収容凹部とが設けられ、前記チューブ収容凹部には、前記ヘッダ収容凹部内に延びる前記温水チューブの余裕代部分の少なくとも一部が収容されることを特徴とする床暖房装置。
【請求項２】
前記チューブ収容凹部の外周部は円弧状に構成され、前記温水チューブの前記余裕代部分は、リング状に湾曲された状態でその少なくとも一部が前記チューブ収容凹部に収容されることを特徴とする請求項１に記載の床暖房装置。
【請求項３】
前記放熱パネル体は床下地上に設置され、前記床下地の前記ヘッダ収容凹部に対応する部位には貫通孔が設けられ、前記温水チューブは、床下空間から前記床下地の前記貫通孔を通して室内側に延びており、リング状に湾曲された前記温水チューブの前記余裕代部分が交差する部分は、前記貫通孔に配設されることを特徴とする請求項２に記載の床暖房装置。
【請求項４】
前記放熱パネル体の前記温水マットには、前記ヘッダ収容凹部及び前記チューブ収容凹部が設けられ、前記温水マットの前記ヘッダ収容凹部及び前記チューブ収容凹部は前記仕上げ材で覆われており、前記温水マットと前記仕上げ材との間には、前記ヘッダ収容凹部及び前記チューブ収容凹部を覆うようにして熱伝導性シート片が介在されることを特徴とする請求項１〜３のいずれかに記載の床暖房装置。
【発明の詳細な説明】
【技術分野】
【０００１】
本発明は、熱源機から供給される温水を利用して床面を暖房する床暖房装置に関する。
【背景技術】
【０００２】
熱源機から供給される温水を利用して床面を暖房する床暖房装置が広く実用に供されている（例えば、特許文献１参照）。従来の床暖房装置は、熱源機からの温水が流れる温水チューブと、温水の熱を放熱するための放熱チューブを有する放熱パネル体と、温水チューブと放熱チューブとを相互に接続するためのヘッダと、を備えている。放熱パネル体は、放熱チューブを内蔵する温水マットと、温水マットの表面側に設置される仕上げ材と、仕上げ材と温水マットとの間に介在される熱伝導性シートと、を有している。また、温水マットには、ヘッダが収容されるヘッダ収容凹部が設けられている。
【０００３】
このような床暖房装置は、次のようにして施工される。まず、暖房すべき床面に温水マットを設置し、ヘッダ収容凹部に対応する床面の部位に貫通孔を穿設する。その後、床下空間を延びる温水チューブを把持して、この温水チューブを床面の貫通孔を通して室内側に引き込んでヘッダに接続する。更にその後、温水マットの表面側を覆うようにして仕上げ材を取り付ける。
【先行技術文献】
【特許文献】
【０００４】
【特許文献１】特開２００３−１９４３４８号公報
【発明の概要】
【発明が解決しようとする課題】
【０００５】
上述のように温水チューブをヘッダに接続する作業を行うときには、ヘッダ収容凹部内に延びる温水チューブに余裕代部分が生じるようにして温水チューブを引き込むことによって、温水チューブを専用工具を用いて（又は手で）把持することができる。温水チューブをヘッダに接続した後には、これを床面の貫通孔を通して床下空間に押し戻すことにより、温水チューブの余裕代部分が床下空間に収容される。
【０００６】
しかしながら、床下空間が狭い場合には、温水チューブを床下空間に押し戻した際に温水チューブが略くの字状に座屈してしまい、温水の流れが遮断されるおそれがある。
【０００７】
本発明の目的は、温水チューブの余裕代部分を容易に収容することができる床暖房装置を提供することである。
【課題を解決するための手段】
【０００８】
本発明の請求項１に記載の床暖房装置では、熱源機からの温水が流れる温水チューブと、温水の熱を放熱するための放熱チューブを有する放熱パネル体と、前記温水チューブと前記放熱チューブとを相互に接続するためのヘッダと、を備え、前記放熱パネル体は、前記放熱チューブを内蔵する温水マットと、前記温水マットの表面側に設置される仕上げ材と、前記仕上げ材と前記温水マットとの間に介在される熱伝導性シートと、を有する床暖房装置であって、
前記放熱パネル体には、前記ヘッダが収容されるヘッダ収容凹部と、前記ヘッダ収容凹部に連通されたチューブ収容凹部とが設けられ、前記チューブ収容凹部には、前記ヘッダ収容凹部内に延びる前記温水チューブの余裕代部分の少なくとも一部が収容されることを特徴とする。
【０００９】
また、本発明の請求項２に記載の床暖房装置では、前記チューブ収容凹部の外周部は円弧状に構成され、前記温水チューブの前記余裕代部分は、リング状に湾曲された状態でその少なくとも一部が前記チューブ収容凹部に収容されることを特徴とする。
【００１０】
また、本発明の請求項３に記載の床暖房装置では、前記放熱パネル体は床下地上に設置され、前記床下地の前記ヘッダ収容凹部に対応する部位には貫通孔が設けられ、前記温水チューブは、床下空間から前記床下地の前記貫通孔を通して室内側に延びており、リング状に湾曲された前記温水チューブの前記余裕代部分が交差する部分は、前記貫通孔に配設されることを特徴とする。
【００１１】
また、本発明の請求項４に記載の床暖房装置では、前記放熱パネル体の前記温水マットには、前記ヘッダ収容凹部及び前記チューブ収容凹部が設けられ、前記温水マットの前記ヘッダ収容凹部及び前記チューブ収容凹部は前記仕上げ材で覆われており、前記温水マットと前記仕上げ材との間には、前記ヘッダ収容凹部及び前記チューブ収容凹部を覆うようにして熱伝導性シート片が介在されることを特徴とする。
【発明の効果】
【００１２】
本発明の請求項１に記載の床暖房装置によれば、温水チューブの余裕代部分を収容するためのチューブ収容凹部が設けられているので、温水チューブをヘッダに接続した後に、その余裕代部分をチューブ収容凹部に容易に収容することができる。従って、従来のように温水チューブを床下空間に押し戻す必要が無く、温水チューブが座屈するおそれがない。
【００１３】
また、本発明の請求項２に記載の床暖房装置によれば、チューブ収容凹部の外周部は円弧状に構成されているので、温水チューブの余裕代部分は、チューブ収容凹部の外周部に沿って円弧状に延びるようになり、温水チューブを略リング状に湾曲保持することができる。
【００１４】
また、本発明の請求項３に記載の床暖房装置によれば、リング状に湾曲された温水チューブの余裕代部分が交差する部分は、貫通孔に配設されるので、この交差する部分が嵩張って温水マットから仕上げ材側にはみ出すのを防止することができる。
【００１５】
また、本発明の請求項４に記載の床暖房装置によれば、温水チューブを流れる温水の熱は、温水マット及び熱伝導性シート片を通して仕上げ材に伝達され、チューブ収容凹部の配設部位においても室内の床面を暖房することができる。
【図面の簡単な説明】
【００１６】
【図１】本発明の一実施形態による床暖房装置の温水マット及びヘッダを示す部分平面図である。
【図２】図１の温水マットの表面側に仕上げ材及び熱伝導性シートを設置した状態を示す部分平面図である。
【図３】図２中のＡ−Ａ線による床暖房装置の概略断面図である。
【図４】図２中のＢ−Ｂ線による床暖房装置の概略断面図である。
【図５】本発明の他の実施形態による床暖房装置の温水マット及びヘッダを示す部分平面図である。
【発明を実施するための形態】
【００１７】
以下、添付図面を参照して、本発明に従う床暖房装置の一実施形態について説明する。図１は、本発明の一実施形態による床暖房装置の温水マット及びヘッダを示す部分平面図であり、図２は、図１の温水マットの表面側に仕上げ材及び熱伝導性シートを設置した状態を示す部分平面図であり、図３は、図２中のＡ−Ａ線による床暖房装置の概略断面図であり、図４は、図２中のＢ−Ｂ線による床暖房装置の概略断面図である。
【００１８】
図１〜図４を参照して、本実施形態の床暖房装置２は放熱パネル体４を備えている。この放熱パネル体４は、温水マット６、熱伝導性シート８及び仕上げ材１０を有しており、例えば一戸建て住宅やマンションなどの床下地１２の表面側に設置される。なお、床下地１２は、格子状に組み合わされた根太１４及び大引１６の上側に支持されており、更にこれら根太１４及び大引１６は、地面１８に立設された床束２０によって下方より支持されている（図３参照）。以下、床暖房装置２の構成について詳細に説明する。
【００１９】
温水マット６は、例えば合成樹脂や木材などから形成され、床下地１２の表面側に設置される。温水マット６には細長い放熱チューブ２２，２４が内蔵され、この放熱チューブ２２，２４は、例えば合成樹脂などから形成されている。温水マット６の一側部の所定部位には、矩形状に切り欠かれたヘッダ収容凹部２６が設けられ、このヘッダ収容凹部２６にはヘッダ２８が収容されている。
【００２０】
ヘッダ２８は矩形状のヘッダ本体３０を備え、このヘッダ本体３０の内部には第１流路２９及び第２流路３１（図１参照）が配設されている。ヘッダ本体３０の一側面には一対の接続部３２が設けられ、その他側面（即ち、この一側面と対向する側面）には一対の接続部３４が設けられ、またその残りの一側面には一対の接続部３６が設けられている。一方の接続部３６と一対の接続部３２とが、ヘッダ本体３０内の第１流路２９を介して連通され、他方の接続部３６と一対の接続部３４とが、ヘッダ本体３０内の第２流路３１を介して連通されている。
【００２１】
放熱チューブ２２，２４の一端部は、ヘッダ収容凹部２６内に延びてヘッダ本体３０の対応する一対の接続部３２に接続され、それらの他端部は、ヘッダ収容凹部２６内に延びてヘッダ本体３０の対応する一対の接続部３４に接続されている。また、一対の接続部３６の一方には、熱源機（図示せず）の温水供給側から延びる温水チューブ３８の一端部が接続され、それらの他方には、熱源機の温水戻り側から延びる温水チューブ４０の一端部が接続されている。なお、温水チューブ３８，４０は、例えば可撓性を有する合成樹脂などから形成され、床下空間４２（即ち、床下地１２と地面１８との間の空間）を延びて配設されている。
【００２２】
また、温水マット６の表面側には、ヘッダ収容凹部２６に連通されたチューブ収容凹部４４，４６が設けられている。本実施形態では、チューブ収容凹部４４，４６の外周部及び内周部はそれぞれ円弧状に構成され、チューブ収容凹部４４，４６は全体として略半リング状に構成されている。これら略半リング状のチューブ収容凹部４４，４６の形状は、温水チューブ３８，４０の最小曲げ半径を確保できるように設計される。チューブ収容凹部４４，４６はヘッダ収容凹部２６の両側にそれぞれ設けられており、後述するように、チューブ収容凹部４４，４６にはそれぞれ、温水チューブ３８，４０の余裕代部分４８，５０の一部が略リング状に湾曲された状態で収容される。チューブ収容凹部４４，４６の幅Ｗ及び深さＤ（図４参照）はそれぞれ、温水チューブ３８，４０の直径よりも幾分大きく構成されており、これにより温水チューブ３８，４０の熱膨張による伸びを吸収することができる。
【００２３】
仕上げ材１０は、例えば合板などから形成され、後述するように床下地１２に放熱パネル体４を設置すると、この仕上げ材１０によって居室の床面が構成される。仕上げ材１０の一側部の所定部位、具体的には、温水マット６のヘッダ収容凹部２６及びチューブ収容凹部４４，４６に対応する部位には、矩形状の切欠き部５２が設けられている。この切欠き部５２には、温水マット６のヘッダ収容凹部２６及びチューブ収容凹部４４，４６を覆うようにして矩形状の仕上げ材片５４が設置される（図３及び図４参照）。なお、この仕上げ材片５４は、切欠き部５２に対応した形状を有し、仕上げ材１０と同じ材質及び厚さで構成されている。
【００２４】
また、熱伝導性シート８は、例えばアルミニウム箔などから形成され、温水マット６と仕上げ材１０との間に介在されている。この熱伝導性シート８によって、放熱チューブ２２，２４を通して流れる温水からの熱が仕上げ材１０に効率良く伝達される。なお、この熱伝導性シート８の一側部の所定部位にも、仕上げ材１０の切欠き部５２に対応して矩形状の切欠き部５６が設けられている。この切欠き部５６には、温水マット６のヘッダ収容凹部２６及びチューブ収容凹部４４，４６を覆うようにして矩形状の熱伝導性シート片５８が設置される（図３及び図４参照）。なお、この熱伝導性シート片５８は、切欠き部５６に対応した形状を有し、熱伝導性シート８と同じ材質及び厚さで構成されている。また、ヘッダ２８が高温になる場合には、熱伝導性シート片５８に代えて、例えば合成樹脂のような非熱伝導性を有するシートを用いるようにしてもよい。
【００２５】
次に、上述した床暖房装置２の施工方法について説明する。まず、暖房すべき室内の床下地１２の表面側を覆うようにして温水マット６を設置し、両者を接着剤などを用いて相互に接着固定する。このとき、ヘッダ収容凹部２６は室内の壁５９の近傍に配設される（図１参照）。その後、ヘッダ収容凹部２６に対応する床下地１２の部位に矩形状の貫通孔６０を穿設し、温水マット６のヘッダ収容凹部２６にヘッダ２８を収容する。そして、放熱チューブ２２，２４の一端部をヘッダ本体３０の対応する一対の接続部３２に接続し、それらの他端部をヘッダ本体３０の対応する一対の接続部３４に接続する。
【００２６】
更にその後、床下空間４２を延びる温水チューブ３８，４０を把持して、これらを床下地１２の貫通孔６０を通して室内側に引き込み、温水チューブ３８，４０の一端部をヘッダ本体３０の対応する一対の接続部３６に接続する。このように温水チューブ３８，４０を引き込むと、図３中の二点鎖線で示すように、ヘッダ収容凹部２６に延びる温水チューブ３８，４０には余裕代部分４８，５０が生じるようになり、この余裕代部分４８，５０を略リング状に湾曲させてその一部をチューブ収容凹部４４，４６にそれぞれ収容させる。チューブ収容凹部４４，４６は略半リング状に構成されているので、温水チューブ３８，４０の余裕代部分４８，５０は、チューブ収容凹部４４，４６に沿って延びて略リング状に湾曲保持されるようになる。なお、略リング状に湾曲保持された温水チューブ３８，４０がそれぞれ交差する部分の厚さは、温水マット６の厚さよりも大きくなるため、この交差する部分を貫通孔６０に配設するようにする。これにより、この交差する部分が嵩張って温水マット６から仕上げ材１０側にはみ出すのが防止される。
【００２７】
その後、温水マット６の表面側を覆うようにして、熱伝導性シート８及び仕上げ材１０をこの順に設置する。このように設置すると、仕上げ材１０の切欠き部５２及び熱伝導性シート８の切欠き部５６によって、温水マット６のヘッダ収容凹部２６及びチューブ収容凹部４４，４６が外部に露出される（図２参照）。そして、温水マット６のヘッダ収容凹部２６及びチューブ収容凹部４４，４６を覆うようにして、矩形状の熱伝導性シート片５８及び仕上げ材片５４をこの順に切欠き部５２，５６に設置する。
【００２８】
なお、本実施形態では、熱伝導性シート片５８及び仕上げ材片５４を切欠き部５２，５６に設置するように構成したが、仕上げ材１０の切欠き部５２を省略し、温水マット６を覆う仕上げ材１０によってヘッダ収容凹部２６及びチューブ収容凹部４４，４６を覆うように構成してもよい。あるいは、仕上げ材１０の切欠き部５２及び熱伝導性シート８の切欠き部５６をそれぞれ省略し、温水マット６を覆う熱伝導性シート８及び仕上げ材１０によってヘッダ収容凹部２６及びチューブ収容凹部４４，４６を覆うように構成してもよい。
【００２９】
次に、上述のようにして施工された床暖房装置２による暖房方法について説明する。熱源機において生成された温水は、温水チューブ３８、ヘッダ本体３０の一方の接続部３６、ヘッダ本体３０内の第１流路２９及びヘッダ本体３０の一対の接続部３２を通して放熱チューブ２２，２４に供給され、この放熱チューブ２２，２４を通して流れるようになる。温水が放熱チューブ２２，２４に流れる間に、温水からの熱が温水マット６及び熱伝導性シート８を通して仕上げ材１０に伝達され、室内の床面が暖房される。また、温水チューブ３８，４０を流れる温水の熱は、温水マット６及び熱伝導性シート片５８を通して仕上げ材片５４に伝達され、チューブ収容凹部４４，４６の配設部位においても室内の床面を暖房することができる。
【００３０】
放熱チューブ２２，２４を流れた温水は、ヘッダ本体３０の一対の接続部３４、ヘッダ本体３０内の第２流路３１、ヘッダ本体３０の他方の接続部３６及び温水チューブ４０を通して熱源機に戻され、この熱源機で加熱された後に再び温水チューブ３８を通して供給される。
【００３１】
以上説明したように、本実施形態の床暖房装置２では、温水チューブ３８，４０をヘッダ本体３０に接続した後に、その余裕代部分４８，５０をチューブ収容凹部４４，４６に容易に収容することができる。
【００３２】
次に、図５を参照して、他の実施形態の床暖房装置について説明する。図５は、本発明の他の実施形態による床暖房装置の温水マット及びヘッダを示す部分平面図である。なお、本実施形態において、上記実施形態と実質上同一の構成要素には同一の符号を付し、その説明を省略する。
【００３３】
本実施形態の床暖房装置２Ａでは、温水マット６Ａのチューブ収容凹部４４Ａ，４６Ａの外周部は円弧状に構成され、チューブ収容凹部４４Ａ，４６Ａは全体として略半円状に構成されている。これにより、上記実施形態と同様に、温水チューブ３８，４０の余裕代部分４８，５０はチューブ収容凹部４４Ａ，４６Ａの外周部に沿って配設されるようになり、温水チューブ３８，４０の余裕代部分４８，５０をリング状に湾曲させた状態で容易に収容することができる。
【００３４】
なお、温水チューブ３８，４２の余裕代部分４８，５０をチューブ収容凹部４４Ａ，４６Ａに収容する際に、別体に構成した略半円状の温水マット片６２，６４（図１参照）をチューブ収容凹部４４Ａ，４６Ａに接着固定するようにしてもよい。これにより、上記実施形態と同様に、温水マット片６２，６４によってチューブ収容凹部４４Ａ，４６Ａの内周部が円弧状に規定されるようになる。
【００３５】
以上、本発明に従う床暖房装置の種々の実施形態について説明したが、本発明はかかる実施形態に限定されるものではなく、本発明の範囲を逸脱することなく種々の変形乃至修正が可能である。
【００３６】
例えば、上記各実施形態では、チューブ収容凹部４４，４６（４４Ａ，４６Ａ）を略半リング状又は略半円状に構成したが、これに限られず、例えば矩形状や略半楕円状など適宜の形状に構成することができる。また、上記各実施形態では、温水チューブ３８，４０の余裕代部分４８，５０の一部をチューブ収容凹部４４，４６（４４Ａ，４６Ａ）に収容するようにしたが、その全部を収容するようにしてもよい。
【００３７】
また例えば、上記各実施形態では、施工現場において温水マット６（６Ａ）、熱伝導性シート８及び仕上げ材１０をこの順に積み重ねて設置するようにしたが、工場生産時に予め温水マット６（６Ａ）、熱伝導性シート８及び仕上げ材１０を一体に構成してユニット化しておき、これを施工現場で設置するようにしてもよい。
【符号の説明】
【００３８】
２，２Ａ  床暖房装置
４，４Ａ  放熱パネル体
６，６Ａ  温水マット
８  熱伝導性シート
１０  仕上げ材
２２，２４  放熱チューブ
２６  ヘッダ収容凹部
２８  ヘッダ
３８，４０  温水チューブ
４４，４４Ａ，４６，４６Ａ  チューブ収容凹部
４８，５０  余裕代部分
５４  仕上げ材片
５８  熱伝導性シート片
【図１】
2010210141.tif 000003
【図２】
2010210141.tif 000004
【図３】
2010210141.tif 000005
【図４】
2010210141.tif 000006
【図５】
2010210141.tif 000007